(57)【要約】      （修正有）【課題】映像機器による服薬管理システムの機能の一部を、消費電力の低い装置や、単純構造で耐久性が高い部外装置が担うことで、省エネルギーや前記映像機器の寿命延長に効果があり、加えて、医療システムの服薬情報と部外装置の服薬履歴データを相互に交換することで、服薬パターンの事前設定や服薬履歴の服薬管理システムへの二重入力の手間を省くことが可能な服薬管理システムの部外装置を提供する。【解決手段】映像機器による服薬管理システムの機能の一部を、端末間を結ぶ有線や無線装置を介した無線を用い、一部機能を部外装置に代行させる手段と、服薬管理システムの服薬情報と部外装置の服薬履歴等の記憶情報を相互に共有させる手段を備える。【選択図】図１
2009086921.tif 000002
【特許請求の範囲】
【請求項１】
服薬管理支援を行っている端末装置から、前記服薬管理支援に必要な機能の一部を切り離し、端子間を結ぶ有線や無線装置を介した無線を用い、前記服薬管理支援を実施するにあたって頻繁に使われる機能については、利用者の一行為に対応した前記一行為専用の入力装置と、複数通りの服薬パターンに対応するために複数の操作パネルを一体形成させることを特長とし、また、薬の見本を留めるクリップと、薬物名、服薬頻度、服薬数など、服薬に関し利用者が確認したい情報等を付箋に自由記載したものを貼り付けるスペースを備えた部外装置。    
【請求項２】
服薬管理支援を行っている端末装置内の服薬管理情報と、部外装置の記憶データを、端子間を結ぶ有線や無線装置を介した無線を用いて、相互に必要な前記服薬管理情報や前記部外装置の記憶データを共有するシステム。
【発明の詳細な説明】
【技術分野】
【０００１】
本発明は、家庭用、病院、介護施設等に設置してある患者利用端末の映像機器による服薬管理システムに、服薬完了を告げる入力信号を始め、二度飲み防止を知らせる飲用ランプ点灯などの部分機能を映像機器と切り離して部外装置に行わせること、加えて、映像機器と部外装置のデータを相互に共有するシステムである。
【背景技術】
【０００２】
特開（２００７−７４０６８）の映像機器、服薬管理システム、映像機器の服薬管理方法及びそのプログラムでは、映像機器の画面表示、映像機器に既設されているアラーム等によって服薬管理情報と伝達することで服薬を支援している。
【特許文献１】特開２００７−７４０６８号    公報
【０００３】
特願（２００７−８２８３６）の服薬管理支援装置は、予め設定してある服薬促進時刻に達すると、聴覚に訴えるアラームと点灯などの視覚に訴えるランプの点灯などを用いて服薬を促している。
【発明の開示】
【発明が解決しようとする課題】
【０００４】
背景技術の特開（２００７−７４０６８）の「映像機器、服薬管理システム、映像機器の服薬管理方法およびそのプログラム」の服薬管理支援を、映像機器を利用しての服薬管理であるが、映像機器の電源や液晶等の画面表示がされていないこともあり、その都度、服薬管理システムを利用する度に、電源や液晶等の画面表示を入力せねばならず、省エネルギーや映像機器の寿命短縮の懸念があることに加え、その後の映像機器の画面表示を服薬管理支援の画面に変更する手数が面倒である。
【０００５】
患者自身が利用する背景技術の服薬管理支援装置は、患者自身が事前設定をする必要があり、機器操作の苦手な高齢者の入力ミス、また、設定法を習得するのは億劫である。
【課題を解決するための手段】
【０００６】
多目的利用の映像機器による服薬管理システムの機能の一部を、USB等の端末間を結ぶ有線や無線装置の無線等を介して、機能の一部分を安価で耐久性の高い服薬管理支援専用の部外装置で補う手段を用い、さらに服薬管理システムの服薬情報と前記部外装置の服薬履歴等の記憶情報を相互に共有させる手段を用いると、服薬パターンの事前設定や服薬履歴の服薬管理システムへの二重入力の手間を省くことが可能。また、複数パターンの服薬のために複数の操作パネルを一体形成の構造にすると、その行為に対し専用の部品を用いる手段を講じることで感覚的、反射的に装置を扱え、より簡単な使い易さを得ることができる。
【０００７】
本発明の部外装置に持たせる機能として、利用者が毎回入力する服薬完了入力信号（服薬完了ボタン）と二度飲み防止のための服薬完了を告げるランプ（服薬完了ランプ）と時計機能は必須として、外出の多い利用者にとっては、外出前に外出中の服薬支援を行わないものとする入力信号（外出ボタン）を付加すると、一般的な利用者に対しては網羅できると考える。さらに、服薬頻度や服薬名を自由記載できる付箋を貼り付けられるスペースや、服薬名ではなく薬の形状や色で飲用薬を確認する利用者のため、薬の見本を挟むクリップを設ける手段を用いることで再確認を促し、誤飲率低下に効果的である。
【発明の効果】
【０００８】
映像機器による服薬管理システムの機能の一部を、消費電力の低い装置や、単純構造で耐久性が高い部外装置が担うことで、省エネルギーや前記映像機器の寿命延長に効果があり、加えて、医療システムの服薬情報と部外装置の服薬履歴データを相互に交換することで、服薬パターンの事前設定や服薬履歴の服薬管理システムへの二重入力の手間を省くことが可能。
【０００９】
複数パターンの服薬のために複数の操作パネルを一体形成の構造を用いたことで、その行為に対して専用の部品を使用することで感覚的、反射的に装置を扱え、より簡単な扱い易さを得ることができる。
【００１０】
本発明の装置に服薬頻度や服薬名を自由記載できる付箋を貼り付けられるスペースや、服薬名ではなく薬の形状や色で飲用薬を確認する利用者のため、薬の見本を挟むクリップを付加することで、服薬頻度、薬名等を再確認することで、一層の誤飲率の低下が期待できる。
【発明を実施するための最良の形態】
【００１１】
映像機器から端子間を結ぶ有線や無線装置を介した無線を用い、服薬完了入力信号（服薬完了ボタン）、二度飲み防止のための服薬完了を告げるランプ等（服薬完了ランプ）や外出前に外出中の服薬支援を行わないものとする入力信号（外出ボタン）等の服薬管理に必要な一部機能を部外装置に代行させる。また、複数通りの服薬パターンが必要な患者への配慮から、複数の操作パネルを一体形成させた形態を採用する。[図１]
【００１２】
服薬管理に必要な部分機能を複数の服薬パターンに対応させるため、[図２]のように
複数の操作パネルが一体形成された部外装置とし、前記部外装置の外形として、縦６〜14cm程度、横5〜10cm程度、厚さ 0.7mm〜2.5cm程度とする。[図２]では３つの操
作パネルが図示されているが、操作パネルを２個とすることで装置の大きさを小さくすることも可能である。
【００１３】
部外に設置する入力機能として効果性が高いと推測されるものは、服薬完了入力信号ボタン（服薬完了ボタン）、二度飲み防止のための服薬完了を告げるランプ（服薬完了ランプ）、外出前に外出中の服薬支援を行わないものとする入力信号（外出ボタン）が考えられる。
【００１４】
映像機器等のコンピュータ部分との連動が頻繁にできない場合、装置として独立している特願（２００７−８２８３６）の服薬管理支援装置を用い、そのコンピュータ内に服薬履歴情報を記憶させる機能を持たせ、服薬履歴等のデータ交換については、他用で映像機器の電源が入った時などにデータ交換を行う。
【００１５】
装置利用者が外出を予定した場合、外出中に服用する薬を持ち出す準備を完了した時点で前記外出ボタンを押すことで、次の1回分を服薬したことと見なし、服薬履歴にも服薬完了扱いと記憶する。また、昼食と夕食を外出先で摂る場合、前記外出ボタンを二度押すことで対応できる機能も設ける。
【００１６】
一般家庭で利用する場合、病院や薬局等の医療情報システムの服薬管理情報を家庭用パソコンやパソコン機能付きテレビ、本発明の部外装置を薬局等に持込むなどをして部外装置にダウンロードし、また前記部外装置に記憶させてある服薬履歴等の記憶データを相互に互換させることで高い利便性が確保でき、さらに、医師側としても患者の服薬履歴確認と安否確認を同時に行うことができる。
【００１７】
部外装置に、一般事務用品の付箋を貼り付けるスペースの確保や、服薬の見本を挟むクリップを設けることも可能。背景技術では、服薬に関する必要情報をキーボード等で入力して液晶表示する手段が用いられている。しかし、本発明は一見、単に経費節減が目的と思われがちだが、それは違う。記入された情報が、その重要度により文字の大きさ、アンダーライン、囲い字、色文字や文字数など、発想したことをリアルに手からペン、ペンから紙というダイレクトで感覚的な確認情報の入力方法である。また、付箋自体は、医療介護の現場でも多用され馴染みがあることに加え、特に高齢者を始めキーボード入力に馴染みのない利用者にとって、付箋記入というアイディアは朗報になることと考える。また、クリップについては薬の見本をクリップで留めることで、服薬確認する際に薬品名ではなく形状や色により服用薬を確認する患者に配慮したアイディアである。この２点は簡単な機能であるが、この二つの感覚的な確認方法は相乗効果となり、誤飲の防止、装置の扱い易さという点でも効果の高い着想である。
【図面の簡単な説明】
【００１８】
【図１】服薬管理システムと部分機能を持たせた部外装置の構成図
【図２】服薬管理システムの部分機能を持たせた部外装置
【符号の説明】
【００１９】
図２a  日付表示
図２b  時計表示
【図１】
2009086921.tif 000003
【図２】
2009086921.tif 000004
【手続補正書】
【提出日】平成19年12月3日(2007.12.3)
【手続補正１】
【補正対象書類名】特許請求の範囲
【補正対象項目名】請求項１
【補正方法】変更
【補正の内容】
【請求項１】
服薬管理支援を行っている端末装置から、前記服薬管理支援に必要な機能の一部を切り離し、端子間を結ぶ有線や無線装置を介した無線を用い、前記服薬管理支援を実施するにあたって頻繁に使われる機能については、利用者の一行為に対応した前記一行為専用の入力装置と、複数通りの服薬パターンに対応するために複数の操作パネルを一体形成させることを特長とした部外装置。